(57)【要約】【課題】  本発明の解決すべき課題は洗浄が容易でカップとしてのリユースが可能な樹脂製飲食品用カップを提供することにある。【解決手段】  大径開口部１２はその周方向に張り出したリング状張出部１８を有し、該リング状張出部１８は断面略円形であり、張出部内側は側壁部１６内面と滑らかに連続し、張出部外側下部は凹状エッジを形成しないよう、前記側壁部１６外面と滑らかに連続し、  小径底部１４内面と、前記側壁部１６内面は、凹状エッジを形成しないよう滑らかに連続していることを特徴とするリユース可能な樹脂製飲食品用カップ１０。【選択図】図１
2008179380.tif 000002
【特許請求の範囲】
【請求項１】
大径開口部と、小径底部と、前記底部より立ち上がり上部が前記大径開口部を形成する筒状側壁部と、を有する樹脂製飲食品用カップであって、
前記大径開口部はその周方向に張り出したリング状張出部を有し、該リング状張出部は断面略円形（真円を含む）であり、張出部内側は前記側壁部内面と滑らかに連続し、張出部外側下部は凹状エッジを形成しないよう、前記側壁部外面と滑らかに連続し、
前記小径底部内面と、前記側壁部内面は、凹状エッジを形成しないよう滑らかに連続していることを特徴とするリユース可能な樹脂製飲食品用カップ。
【請求項２】
請求項１記載のカップであって、前記張出部はその断面半径が０．５mm以上であり、かつ側壁部外面延長線から０．５ｍｍ以上張り出しており、張出部外面下部は半径０．５〜３mmの曲率を有する凹状曲面で側壁部外面と連続していることを特徴とするリユース可能な樹脂製飲食品用カップ。
【請求項３】
請求項１又は２記載のカップであって、カップ底部外面は断面略直角となるように底面及び立ち上がり面を有し、該立ち上がり面と側壁部外面は凹状エッジを形成しないように滑らかに連続していることを特徴とするリユース可能な樹脂製飲食品用カップ。
【発明の詳細な説明】
【技術分野】
【０００１】
本発明は樹脂製飲食品用カップ、特にそのリユース時の洗浄性の改良に関する。
【背景技術】
【０００２】
飲食品用カップとして樹脂製のものが周知であり、特に各種スポーツ施設などで飲食品を販売する際に大量に使用される（特許文献１等）。これらの樹脂製飲食品用カップの大半は使い捨てであり、安価に製造することが要求される。
しかしながら、昨今の環境問題を重視する傾向から、このような樹脂製飲食品用カップの大量廃棄は極めて大きな問題となっている。その解決策としては、基本的に樹脂のリユースであり、飲食品凝固残存物ないし雑菌の簡易且つ完全な除去が困難なことから、カップとしてのリユースはほとんど行われていない。
【特許文献１】特開２００３−０７２７６３号公報
【特許文献２】特開２０００−１２８２５５号公報
【特許文献３】特開２０００−１２８２５４号公報
【発明の開示】
【発明が解決しようとする課題】
【０００３】
本発明は前記従来技術に鑑みなされたものであり、その解決すべき課題は洗浄が容易でカップとしてのリユースが可能な樹脂製飲食品用カップを提供することにある。
【課題を解決するための手段】
【０００４】
前記課題を解決する為に本発明にかかるリユース可能な樹脂製飲食品用カップは、大径開口部と、小径底部と、前記底部より立ち上がり上部が前記大径開口部を形成する筒状側壁部と、を有する。
そして、前記大径開口部はその周方向に張り出したリング状張出部を有し、該リング状張出部は断面略円形であり、張出部内側は前記側壁部内面と滑らかに連続し、張出部外側下部は凹状エッジを形成しないよう、前記側壁部外面と滑らかに連続している。
また、前記小径底部内面と、前記側壁部内面は、凹状エッジを形成しないよう滑らかに連続していることを特徴とする。
【０００５】
また、前記カップにおいて、前記張出部はその断面半径が０．５mm以上、好ましくは１ｍｍ以上であり、かつ側壁部外面延長線から０．５mm以上、好ましくは１ｍｍ以上張り出しており、張出部外面下部は半径０．５〜３mmの曲率を有する凹状曲面で側壁部外面と連続していることが好適である。
また、前記カップにおいて、カップ底部外面は断面略直角となるように底面及び立ち上がり面を有し、該立ち上がり面と側壁部外面は凹状エッジを形成しないように滑らかに連続していることが好適である。
【発明の効果】
【０００６】
本発明にかかる樹脂製飲食品用カップは、前述したように飲食品、口唇に触れる開口部、底部内面にエッジを作らないように形成したので、使用後、多少時間が経過し菌の繁殖が問題となるような場合にも、洗浄が極めて容易であり、リユースが可能となる。
また、特にカップ底部に断面略直角の底面及び立ち上がり面を形成することで、テーブル等への載置性を確保し、且つ立ち上がり面と側壁外面とを滑らかに連続させることで、カップ外面への雑菌等の残存を低減させることができる。
【発明を実施するための最良の形態】
【０００７】
本発明者等は、樹脂製飲食品用カップを使用後に洗浄する際の状況について詳細な検討を行った。
そして、大量のカップを簡易且つ迅速に洗浄するため機械的洗浄を行わざるを得ず、この際の飲食品凝固残存物及び雑菌の洗浄洩れ部位を特定した。
この結果、開口部近傍、及びカップ底部内面に洗浄洩れ部位が発生しやすいことを見出し、この部分の洗浄性が向上するような形状を種々検討し、本発明にかかるカップを調製した。
【０００８】
以下、図面に基づき本発明の好適な実施形態について説明する。
図１は本発明の一実施形態にかかる樹脂製飲食品用カップ１０の断面図が示されている。
同図に示すカップ１０は、大径開口部１２と、小径底部１４と、前記底部１４より立ち上がり上部が前記大径開口部１２を形成する筒状側壁部１６を備える。本実施形態において、大径開口部１２の外径ｒ１は約９２mm、内径ｒ２は約８４mm、小径底部１４の径ｒ３は約５２mm、筒状側壁部最下部（最細部）の径ｒ４は約５６mm、カップ高ｈ１は約１４０mm、底部高ｈ２は約１０mmである。
【０００９】
そして、前記大径開口部１２は、その周方向に張り出したリング状張出部１８を有している。該リング状張出部１８は、図２（Ａ）に拡大して示すように断面が半径Ｒ１約２mmの略円形となる形状を有しており、その張出部内側はその接線が前記側壁部１６の内面１６ａと連続するように滑らかに形成されている。
また、張出部１８の外側はなだらかなS字状を形成し、下方の凹面はエッジを形成しないよう、半径Ｒ２約１mmのカーブを描き、側壁部外面１６ｂと滑らかに連続している。この曲率半径Ｒ２は、０．５〜１０mm程度で、洗浄性、キャップ保持性が改善され、しかも持ちやすい利点を生じる。
【００１０】
このように、本実施形態にかかるカップの開口部１２は、エッジ状凹部を形成しないよう、滑らかなカーブで連続的に形成されているため、飲食品を飲む時にも口唇への接触感は良好であり、また飲食品残物ないし菌が残存しやすいエッジ状凹部が存在しないため、洗浄も容易である。しかも、このような飲食品用カップをスポーツ施設等で飲食品販売に用いる場合、持ち歩きが必要となることもあり、その際には内容物がこぼれにくくするため、キャップ２０を開口部１２にかぶせることが多いが、０．５mm以上、好ましくは１mm以上の張出部１８はキャップ２０が外れにくくする機能も有する。このキャップには、ストローなどを使用しやすいように、切り口を設けてもよい。
【００１１】
一方、底部１４は、その内面１４ａが半径Ｒ３約１０〜６０mm程度のなだらかなカーブを形成し、側壁部内面１６aとエッジを形成しないよう滑らかに連続する。
また、図２（B）に拡大して示すように、底部１４の外面下部はカップ１０をテーブル等に載置した際に安定性を良好とする為、断面略直角に底面１４ｂを形成している。そして、底部１４の略垂直な立ち上がり面１４ｃと前記側壁部外面１６ｂとの連結面はなだらかなS字状を描き、上段の凸面カーブは半径Ｒ４約４〜５０mm、下段の凹面カーブは半径Ｒ５約１〜２０mmとしている。
【００１２】
本実施形態にかかるカップ１０は、このように底部１４の内面及び外面に凹状エッジを形成しないようにしているので、洗浄性に優れ、特に飲食品の残存しやすい内面１４ａは大きな曲面を描いている。また、底部外面は直接口唇、或いは飲食品が触れるところではない為、洗浄がおろそかになりやすいが、このような飲食品カップ１０は、飲食品販売時に図３に示すように積み重ねられていることが多く、結果として上方のカップ底部は下方のカップ内面に接触する場合があり、洗浄には特に注意を要する部分である。このため、本実施形態においては、カップ１０底部を略直角にして載置性を維持しつつ、側壁部１６と底部１４との連続部分には凹状エッジを形成しないようにしている。
【００１３】
本発明者等は別途各種の検討を行い、カップ外面に形成される凹状部分の曲率半径Ｒ２，Ｒ５は０．５mm以上、好ましくは１mm程度であることが好ましいことを見出した。特にリング状張出部外面下部の半径Ｒ２は、あまりに大きくなるとキャップ２０の保持性が低下することがあり、２〜１０mm以下であることが好ましい。
なお、カップ内面にスクラッチが発生すると、美観を損ねるばかりでなく、その部分に飲食品残物ないし雑菌が付着し、洗浄が困難になる場合がある。このため、本実施形態において底部１４の略直角部分は、図３に示すように重ね合わせた時に、下方のカップ１０側壁内面に接触しないように垂直部分高さ及び曲率半径Ｒ４を設計することが好適である。
また、本実施形態において、カップ底面１４ｂは座りをよくするため、曲面の大きな凹面とすることも好適である。
【００１４】
また、本発明にかかる飲食品用カップは、その筒状側壁部最下部の径ｒ４は３０〜１３０mm程度、底部内面曲率半径Ｒ３は３０〜１３０mm程度で、立ち上がり面となだらかな曲面で接しており、楕円形状でも構わない。このように底部内面曲率半径Ｒ３を大きくすることで、カップ内面底部の洗浄が容易になる利点がある。底部高ｈ２は３〜３０mm程度であることが好適であり、このように底部外周が底面に対して垂直であると持ちやすい利点がある。カップ高ｈ１は６０〜２４０mm程度であり、大径開口部の内径ｒ２は５０〜２００mmであり、筒状側壁部最下部径ｒ４より大きい。また、これらの張出部１８ないし底部外周垂直面の存在により、カップホルダーの使用も容易になる。
【００１５】
また、本発明のカップは、たこ焼き、ポテトチップ、ポップコーン、飯類などの一般的な食品、即席ラーメン、即席うどん、スパゲッティなどの調味液を入れた麺類、ビール、ジュース、コーヒー、スープ、カキ氷、ソフトクリームなどの飲料類、などに適用できる。
また、本発明において、その口部は、外部にリング状の突起があり、蓋のはめることが容易であり、飲食品が液状物であっても持ち運びが可能である。
【図面の簡単な説明】
【００１６】
【図１】本発明の一実施形態にかかる飲食品用カップの概略構成の説明図である。
【図２】本実施形態にかかる飲食品用カップの開口部及び底部の拡大図である。
【図３】本実施形態にかかる飲食品用カップの重ね置き状態の説明図である。
【符号の説明】
【００１７】
１０  樹脂製飲食品用カップ
１２  大径開口
１４  小径底部
１６  筒状側壁部
１８  リング状張出部
【図１】
2008179380.tif 000003
【図２】
2008179380.tif 000004
【図３】
2008179380.tif 000005